(57)【特許請求の範囲】
【請求項１】
切断するネジ棒が係合する係合部の内面に前記ネジ棒の雄ネジと係合する雌ネジが形成されている一対の切断部を有し、この一対の切断部のいずれか一方が固設され、他方が前記固設されている切断部に対してすれ違い移動自在に設けられ、前記固設された切断部の前記係合部に前記ネジ棒を係合し支持させ、この固設された切断部に対してすれ違い移動自在に設けられた切断部をすれ違い移動させて、各切断部の夫々のすれ違い面に設けられた剪断面同士をすれ違わせることで前記ネジ棒を切断するネジ棒切断装置において、前記一対の切断部のいずれか一方の切断部は、すれ違い面が前記係合部に形成されている雌ネジのリード角に沿った傾斜状態に設けられ、この傾斜状態に設けられたすれ違い面を前記剪断面とし、この剪断面のすれ違い側端縁が前記係合部の内面に形成されている雌ネジのネジ山に位置するように構成されたものであり、いずれか他方の切断部は、すれ違い面が前記一方の切断部のすれ違い面と略平行となる傾斜状態に設けられ、このすれ違い面に該すれ違い面と逆方向に傾斜し該他方の切断部の係合部の内面に形成されている雌ネジのリード角に沿った逆傾斜面を有する凹設部が設けられ、この凹設部の前記逆傾斜面をこの他方の切断部の剪断面とし、この剪断面のすれ違い側端縁が前記係合部の内面に形成されている雌ネジのネジ山に位置するように構成されているものであり、前記ネジ棒を切断する際に、前記一対の切断部の夫々の剪断面のすれ違い側端縁に位置する前記係合部の内面に形成されている雌ネジのネジ山のいずれか一方が、前記ネジ棒の雄ネジの一側ネジ溝に係合し、いずれか他方が前記一側ネジ溝の反対側に位置する他側ネジ溝に係合して、このネジ棒を両側のネジ溝から切断してゆき、切断した前記ネジ棒の切断面の外周縁が略ネジ溝谷底部に位置するように構成されていることを特徴とするネジ棒切断装置。
【請求項２】
前記一対の切断部は、夫々、前記係合部が半円状溝に構成されており、また、前記一対の切断部のいずれか一方の切断部の係合部の内面に形成されている雌ネジが前記ネジ棒の一側半面の雄ネジと係合し、いずれか他方の切断部の係合部の内面に形成されている雌ネジが前記ネジ棒の他側半面の雄ネジと係合するように構成されており、更に、前記一対の切断部の夫々の前記剪断面のすれ違い端縁は、半円状に形成されていることを特徴とする請求項１記載のネジ棒切断装置。
【請求項３】
前記凹設部は、前記すれ違い面がＶ字状に切り欠かれている該すれ違い面と逆方向に傾斜した前記剪断面と、この剪断面に連設するネジ山剪断面とから成るＶ字状凹設部に構成されており、前記ネジ山剪断面の端縁が、前記すれ違い面と逆方向に傾斜した前記剪断面が切断するネジ溝に隣接するネジ山のネジ山頂部と交差するように係合して、この隣接するネジ山を前記剪断面の切断方向と交差する方向に切断するように構成されていることを特徴とする請求項１，２のいずれか１項に記載のネジ棒切断装置。
【請求項４】
前記すれ違い面と逆方向に傾斜した剪断面は、この剪断面が設けられた切断部の係合部の内面に形成されている雌ネジのリード角と同方向に傾斜し、且つ前記雌ネジの軸線と直交する平面に対する傾斜角度が前記リード角θ°に対して０．５θ°〜１．５θ°の範囲に設定されていることを特徴とする請求項１〜３のいずれか１項に記載のネジ棒切断装置。
【請求項５】
前記ネジ山剪断面は、このネジ山剪断面と、このネジ山剪断面が設けられた切断部の係合部の内面に形成されている雌ネジの軸線との成す角度が、前記ネジ棒の雄ネジのネジ山角度以下となるように構成されていることを特徴とする請求項３，４のいずれか１項に記載のネジ棒切断装置。
【発明の詳細な説明】
【技術分野】
【０００１】
本発明は、例えば、全ネジボルト等のネジ棒を雄ネジの部分で切断する際に用いるネジ棒切断装置に関するものである。
【背景技術】
【０００２】
従来、全ネジボルトを用いて照明器具や空調設備等を天井から吊り下げる際は、取り付け現場で全ネジの長さを使用する長さに合わせて切断して使用するケースが多く、この全ネジを切断する際には、ネジ棒切断装置（ネジ棒切断装置）が用いられることが多い。
【０００３】
この全ネジボルトを切断するネジ棒切断装置としては、様々なものが提案されており、例えば、特公平７−１０８４８１や特開平８−１７４３３１などが挙げられる。
【０００４】
これら従来のネジ棒切断装置（以下、従来例と称する）は、切断するネジ棒の雄ネジと係合する係合面に、この雄ネジと係合する雌ネジを刻設した固定刃と可動刃とから成る一対の切断刃を向い合せに配設して固定刃に対して可動刃をすれ違い移動させて固定刃で支持した全ネジを切断するものである。
【０００５】
この夫々の切断刃の係合面に雌ネジを刻設することで、雄ネジのネジ山を潰さず、また、全ネジの雄ネジと切断刃の雌ネジとがかみ合って係合するので、切断時に全ネジが軸方向に移動せず強固に固定されるため、切断部が綺麗に仕上がる。
【０００６】
また更に、上記に挙げた従来例は、一方の切断刃の剪断面を、切断する全ネジのリード角と同等の傾斜状態に設け、更に剪断面の端縁が切断する全ネジのネジ溝に位置するように構成して、この一方の切断刃が全ネジのネジ溝に沿って切断するように構成して、ネジ山部分での切断によって形成されるかえりバリの発生を抑えたものとなっている。
【先行技術文献】
【特許文献】
【０００７】
【特許文献１】特公平７−１０８４８１号公報
【特許文献２】特開平８−１７４３３１号公報
【発明の概要】
【発明が解決しようとする課題】
【０００８】
しかしながら、ネジ溝（ネジ山）は全ネジの軸線に対して螺旋状に形成されているので、一方側（表側）がネジ溝であれば、反対側（裏側）はネジ山が位置することとなり、よって、上記の従来例は、確かに、一方の切断刃の剪断面は、切断する全ネジのネジ溝に位置して、ネジ溝に沿って切断することができるが、もう一方の切断刃の剪断面は、ネジ山に位置することとなり、このネジ山から切断し始めることとなる。
【０００９】
従って、ネジ山から切断し始めた切断部は、このネジ山を軸線に対して略直交方向に切断することとなるので、図１１に示すような、かえりバリ20がどうしてもネジ山切断面の端縁に発生してしまう。
【００１０】
このネジ山切断面の端縁にかえりバリが発生することによって、様々な不具合、例えば、かえりバリがナット（雌ネジ）の通りを阻害したり、手や指先を傷つけたりする不具合が生じてしまうため、切断後に、一々、このかえりバリを取るためのバリ取り作業をしなければならなかった。
【００１１】
本発明は、上記のような問題を解決し、切断時のかえりバリによる不具合の発生を可及的に低減し、切断後のバリ取り作業を不要とする実用性に優れた画期的なネジ棒切断装置を提供することを目的とする。
【課題を解決するための手段】
【００１２】
添付図面を参照して本発明の要旨を説明する。
【００１３】
切断するネジ棒１が係合する係合部２の内面に前記ネジ棒１の雄ネジと係合する雌ネジが形成されている一対の切断部３を有し、この一対の切断部３のいずれか一方が固設され、他方が前記固設されている切断部３に対してすれ違い移動自在に設けられ、前記固設された切断部３の前記係合部２に前記ネジ棒１を係合し支持させ、この固設された切断部３に対してすれ違い移動自在に設けられた切断部３をすれ違い移動させて、各切断部３の夫々のすれ違い面４に設けられた剪断面５同士をすれ違わせることで前記ネジ棒１を切断するネジ棒切断装置において、前記一対の切断部３のいずれか一方の切断部３は、すれ違い面４が前記係合部２に形成されている雌ネジのリード角に沿った傾斜状態に設けられ、この傾斜状態に設けられたすれ違い面４を前記剪断面５とし、この剪断面５のすれ違い側端縁６が前記係合部２の内面に形成されている雌ネジのネジ山に位置するように構成されたものであり、いずれか他方の切断部３は、すれ違い面４が前記一方の切断部３のすれ違い面４と略平行となる傾斜状態に設けられ、このすれ違い面４に該すれ違い面４と逆方向に傾斜し該他方の切断部３の係合部２の内面に形成されている雌ネジのリード角に沿った逆傾斜面を有する凹設部７が設けられ、この凹設部７の前記逆傾斜面をこの他方の切断部３の剪断面５とし、この剪断面５のすれ違い側端縁６が前記係合部２の内面に形成されている雌ネジのネジ山に位置するように構成されているものであり、前記ネジ棒１を切断する際に、前記一対の切断部３の夫々の剪断面５のすれ違い側端縁６に位置する前記係合部２の内面に形成されている雌ネジのネジ山のいずれか一方が、前記ネジ棒１の雄ネジの一側ネジ溝に係合し、いずれか他方が前記一側ネジ溝の反対側に位置する他側ネジ溝に係合して、このネジ棒１を両側のネジ溝から切断してゆき、切断した前記ネジ棒１の切断面の外周縁が略ネジ溝谷底部に位置するように構成されていることを特徴とするネジ棒切断装置に係るものである。
【００１４】
また、前記一対の切断部３は、夫々、前記係合部２が半円状溝に構成されており、また、前記一対の切断部３のいずれか一方の切断部３の係合部２の内面に形成されている雌ネジが前記ネジ棒１の一側半面の雄ネジと係合し、いずれか他方の切断部３の係合部２の内面に形成されている雌ネジが前記ネジ棒１の他側半面の雄ネジと係合するように構成されており、更に、前記一対の切断部３の夫々の前記剪断面５のすれ違い端縁６は、半円状に形成されていることを特徴とする請求項１記載のネジ棒切断装置に係るものである。
【００１５】
また、前記凹設部７は、前記すれ違い面４がＶ字状に切り欠かれている該すれ違い面４と逆方向に傾斜した前記剪断面５と、この剪断面５に連設するネジ山剪断面８とから成るＶ字状凹設部７に構成されており、前記ネジ山剪断面８の端縁９が、前記すれ違い面４と逆方向に傾斜した前記剪断面５が切断するネジ溝に隣接するネジ山のネジ山頂部と交差するように係合して、この隣接するネジ山を前記剪断面５の切断方向と交差する方向に切断するように構成されていることを特徴とする請求項１，２のいずれか１項に記載のネジ棒切断装置に係るものである。
【００１６】
また、前記すれ違い面４と逆方向に傾斜した剪断面５は、この剪断面５が設けられた切断部３の係合部２の内面に形成されている雌ネジのリード角と同方向に傾斜し、且つ前記雌ネジの軸線と直交する平面に対する傾斜角度が前記リード角θ°に対して０．５θ°〜１．５θ°の範囲に設定されていることを特徴とする請求項１〜３のいずれか１項に記載のネジ棒切断装置に係るものである。
【００１７】
また、前記ネジ山剪断面８は、このネジ山剪断面８と、このネジ山剪断面８が設けられた切断部３の係合部２の内面に形成されている雌ネジの軸線との成す角度が、前記ネジ棒１の雄ネジのネジ山角度以下となるように構成されていることを特徴とする請求項３，４のいずれか１項に記載のネジ棒切断装置に係るものである。
【発明の効果】
【００１８】
本発明は上述のように構成したから、ネジ棒のネジ山にかえりバリが発生しなくなり、よって、一々、バリ取り作業をしなくても、切断後、直ぐにネジ棒（例えば、全ネジボルト）に雌ネジ（例えば、ナット）を螺合することができるので、効率よく作業を行うことができる実用性に優れた画期的なネジ棒切断装置となる。
【００１９】
しかも、ネジ棒を切断する際、ネジ山を殆ど切断しないので、このネジ棒の切断面積が従来例で切断した場合に比べて小さくなるので、切断に要する時間を短縮でき、よって、切断部の剪断面の摩耗の低減や駆動部への負荷の低減を図ることができ、メンテナンス頻度を低減でき、且つ装置も故障しにくくなる実用性に優れたネジ棒切断装置となる。
【００２０】
また、請求項２〜４記載の発明においては、一層容易に本発明を実現でき、一層実用性に優れたネジ棒切断装置となるもので、特に請求項４記載の発明においては、一対の切断部の切断刃に相当する双方の剪断面のすれ違い端縁がいずれもネジ棒を切断する際に、ネジ棒のネジ山頂部を殆ど通過することなく切断するので、一層、ネジ山頂部でのかえりバリの発生を抑制することができる画期的なネジ棒切断装置となる。
【００２１】
また、請求項５記載の発明においては、ネジ棒のネジ山頂部と交差する切断距離が略最短となり、この切断するネジ棒のネジ山の肉厚を薄くすることなくネジ棒を切断するので、一層かえりバリの発生を抑制することができる実用性に優れたネジ棒切断装置となる。
【図面の簡単な説明】
【００２２】
【図１】本実施例を示す斜視図である。
【図２】本実施例の固設切断部及び可動切断部を示す説明図である。
【図３】本実施例の固設切断部及び可動切断部を示す説明斜視図である。
【図４】本実施例の固設切断部及び可動切断部を示す説明斜視図である。
【図５】本実施例の固設切断部及び可動切断部のネジ棒との係合状態を示す説明図である。
【図６】本実施例の固設切断部及び可動切断部のネジ棒との係合状態を示す説明平面図である。
【図７】本実施例の可動切断部を示す説明斜視図である。
【図８】本実施例の可動切断部を示す説明正面図である。
【図９】本実施例の可動切断部がネジ棒のネジ山を切断する様子を示す説明図である。
【図１０】本実施例で切断したネジ棒の切断状態を示す説明図である。
【図１１】従来例で切断したネジ棒の切断状態を示す説明図である。
【発明を実施するための形態】
【００２３】
好適と考える本発明の実施形態を、図面に基づいて本発明の作用を示して簡単に説明する。
【００２４】
本発明は、一対の切断部３の夫々の係合部２の内面に、切断するネジ棒１の雄ネジと係合する雌メジを形成したから、ネジ棒１を切断するために、このネジ棒１を固設した一方の切断部３に支持させると、このネジ棒１の雄ネジと固設した一方の切断部３の係合部２の内面に形成した雌ネジとが係合する、即ち、ネジ棒１の雄ネジのネジ山が係合部２の雌ネジのネジ溝と係合し、また、ネジ棒１の雄ネジのネジ溝が係合部２の雌ネジのネジ山と係合するので、すれ違い移動してくる他方の切断部３にネジ棒１が押圧されてもこの支持したネジ棒１のネジ山が潰れることがなく、しかも、凹凸係合により、このネジ棒１の軸線方向に対しての移動が阻止されるので、切断時にズレが生じず、切断面を綺麗に仕上げることができ、これにより、かえりバリの発生を低減することができる。
【００２５】
また、本発明は、一対の切断部３の夫々の剪断面５を、夫々の切断部３の係合部２の内面に形成した雌ネジのリード角に沿った傾斜状態に設け、このリード角に沿った傾斜状態に設けた夫々の剪断面５のすれ違い端縁６が夫々の切断部３の係合部２の内面に形成した雌ネジのネジ山に位置するように構成したから、切断刃に相当する夫々の切断部３の剪断面５のすれ違い側端縁６が、切断するネジ棒１のネジ溝に、係合部２の内面に形成した雌ネジのネジ山と同様にネジ溝のリード角に沿って係合して、ネジ棒１を切断する際、夫々の切断部３は、ネジ棒１のネジ溝からネジ溝のリード角に沿って切り進むこととなるので、切断刃に相当する夫々の切断部３の剪断面５のすれ違い側端縁６は、このネジ棒１のネジ山頂部近傍を殆ど通過せず、ネジ山の麓部近傍、即ち、ネジ溝の谷底近傍を通過するように切断してゆくこととなる。
【００２６】
従って、切断するネジ棒１のネジ山頂部近傍は殆ど切断されることがなくなるので、ネジ山頂部近傍は切断面とならず、ネジ棒１の切断面は、外周縁が略ネジ溝の谷底に沿った形状となり、故に、ネジ山でのかえりバリの発生もなくなり、バリ取りをしなくても切断後、直ぐにネジ棒１にナット（雌ネジ）を螺合することができる実用性に優れた画期的なネジ棒切断装置となる。
【００２７】
尚、本発明において、切断するネジ棒１が係合する切断部３の係合部２の内面に形成した雌ネジのリード角に沿った傾斜状態に設けたすれ違い面４及び剪断面５とは、完全にリード角と同角度の傾斜状態だけでなく、略平行となる傾斜状態も含むものとする。
【実施例】
【００２８】
本発明の具体的な実施例について図面に基づいて説明する。
【００２９】
本実施例は、切断するネジ棒１が係合する係合部２の内面にこのネジ棒１の雄ネジと係合する雌ネジを形成した固設切断部３Ａと可動切断部３Ｂとから成る一対の切断部３の固設切断部３Ａを固設し、可動切断部３Ｂを固定切断部３に対してすれ違い移動自在に設け、固設切断部３Ａの係合部２に切断するネジ棒１を係合し支持させ、このネジ棒１を支持した固設切断部３Ａに対して可動切断部３Ｂをすれ違い移動させて、各切断部３Ａ，３Ｂの夫々のすれ違い面４に設けた剪断面５同士がすれ違うことで、前記ネジ棒１を剪断して切断するネジ棒切断装置である。
【００３０】
具体的には、駆動部を収容した本体部10と、固設切断部３Ａと可動切断部３Ｂとを配設し、固設切断部３Ａに対して可動切断部３Ｂをすれ違い移動させて固設切断部３Ａに支持させたネジ棒１の切断処理を行うネジ棒切断処理部11と、この切断処理部11に設けた可動切断部３Ｂを移動させる油圧シリンダ機構12とから成り、本体部10は、ハンドリング用の取手部13が突設され、この取手部13に可動切断部3Ｂを移動させるための操作スイッチ14を設けた構成としている。
【００３１】
また、ネジ棒切断処理部11は、固設切断部３Ａと可動切断部３Ｂとを交換自在に配設し得る構成としている。
【００３２】
このネジ棒切断処理部11に固設状態に配設する固設切断部３Ａは、可動切断部３Ｂとのすれ違い面４を固設側すれ違い面４Ａとし、この固設側すれ違い面４Ａを係合部２の内面に形成した切断するネジ棒１の雄ネジと係合する雌ネジのリード角に沿った傾斜状態に設け、この傾斜状態に設けた固設側すれ違い面４Ａを固設側剪断面５Ａとし、この固設側剪断面５Ａのすれ違い端縁６が、この固設切断部３Ａの係合部２の内面に形成した雌ネジのネジ山に位置するように構成している。
【００３３】
より具体的には、この固設切断部３Ａの係合部２は、半円状溝、具体的には、半円の直径が切断するネジ棒１の内径と同径の半円状溝に形成した構成とし、切断するネジ棒１の雄ネジの一側半面と係合する構成としている。
【００３４】
また、係合部２を半円状溝形状に構成したことにより、固設側剪断面５Ａのすれ違い端縁６も半円状に構成されることとなり、この半円状のすれ違い端縁６は、この固設切断部３Ａの係合部２の内面に形成した雌ネジのネジ山（具体的には、最も固設側すれ違い面４Ａ側に位置するネジ山）に位置するので、よって、切断刃に相当するすれ違い端縁６は、ネジ棒１の１／２リード長分のネジ溝と係合する構成としている。
【００３５】
また、上述した固設切断部３Ａに対してすれ違い移動自在にネジ棒切断処理部11に設けられる可動切断部３Ｂは、固設切断部３Ａとのすれ違い面４を可動側すれ違い面４Ｂとし、この可動側すれ違い面４Ｂを固設切断部３Ａの固設側すれ違い面４Ａと略平行となる傾斜状態に設け、この可動側すれ違い面４Ｂに、この可動側すれ違い面４Ｂと逆方向に傾斜した逆傾斜面を有する凹設部７を設けて、この凹設部７の逆傾斜面をこの可動切断部３Ｂの可動側剪断面５Ｂとし、この可動側剪断面５Ｂのすれ違い側端縁６が、この可動切断部３Ｂの係合部２の内面に形成した雌ネジのネジ山に位置するように構成している。
【００３６】
より具体的には、この可動切断部３Ｂの係合部２は、固設切断部３Ａと同様に、半円状溝、具体的には、半円の直径が切断するネジ棒１の内径と同径の半円状溝に形成した構成とし、切断するネジ棒１の雄ネジの他側半面と係合する構成としている。
【００３７】
また、係合部２を半円状溝形状に構成したことにより、可動側剪断面５Ｂのすれ違い端縁６も半円状に構成されることとなり、この半円状のすれ違い端縁６は、係合部２の内面に形成した雌ネジのネジ山（具体的には、最も固設側すれ違い面４Ａ側に位置するネジ山）に位置するので、よって、切断刃に相当するすれ違い端縁６は、ネジ棒１の１／２リード長分のネジ溝と係合する構成としている。
【００３８】
また、この可動切断部３Ｂの可動側すれ違い面４Ｂに設けた凹設部７は、この可動側すれ違い面４ＢをＶ字状に切り欠いてこの可動側すれ違い面４Ｂと逆方向に傾斜した逆傾斜面である可動側剪断面５Ｂとこの可動側剪断面５Ｂに連設するネジ山剪断面８とから成るＶ字状凹設部７（具体的には、ネジ山剪断面８の長さに対して可動側剪断面５Ｂの長さを長くしたへの字状凹設部７）に構成し、この可動側剪断面５Ｂと連設するネジ山剪断面８は、このネジ山剪断面８の端縁９が切断するネジ棒１の可動側剪断面５Ｂが切断するネジ溝に隣接するネジ山のネジ山頂部と交差するように係合して、この隣接するネジ山を可動側剪断面５Ｂの切断方向と交差する方向に切断するように構成している。
【００３９】
図８は、本実施例の可動切断部を示す説明正面図である。この図８について、具体的に説明すると、図中ａは、ネジ山剪断面８とこの可動切断部３Ｂの係合部２の内面に形成した雌ネジの軸線との成す角度、即ち、ネジ山剪断面８の傾斜角度を示しており、本実施例では、このネジ山剪断面８の傾斜角度ａは、可動切断部３Ｂの係合部２の内面に形成した雌ネジのネジ山角度α°以下となるように設定しており、具体的には、ネジ山角度α＝５５°に対して、ネジ山剪断面８の傾斜角度ａ＝４４°に設定している。
【００４０】
また、図中ｂは、可動側剪断面５Ｂの雌ネジの軸線と直交する平面に対する傾斜角度を示しており、本実施例では、この可動側剪断面５Ｂの傾斜角度を、この可動側剪断面５Ｂが可動切断部３Ｂの係合部２の内面に形成した雌ネジの谷底に位置しない傾斜角度に設定しており、具体的には、この雌ネジのリード角θ°に対して０．５θ°〜１．５θ°の範囲の傾斜角度に設定しており、より具体的には、雌ネジのリード角θ＝５°に対して、可動側剪断面５Ｂの傾斜角度ｂ＝約２．６°に設定している。
【００４１】
また、図中ｃは、Ｖ字状凹設部７の深さを示しており、本実施例では、このＶ字状凹設部７を設けた可動側すれ違い面４Ｂの、可動切断部３Ｂの係合部２の内面に形成した雌ネジの軸線と交差する面（仮想面）を基準面とし、この基準面から可動側剪断面５Ｂとネジ山剪断面８との境界部までの距離をこのＶ字状凹設部７の深さとし、具体的には、可動切断部３Ｂの係合部２の内面に形成した雌ネジのピッチＰに対して、０．２Ｐ〜０．６Ｐの深さに設定しており、より具体的には、雌ネジのピッチＰ＝２．１１６７ｍｍに対して、Ｖ字状凹設部７の深さｃ＝０．６２ｍｍに設定している。
【００４２】
また、図中ｅは、上述したＶ字状凹設部７を設けた可動側すれ違い面４Ｂの、可動切断部３Ｂの係合部２の内面に形成した雌ネジの軸線と交差する面（仮想面）を基準面として、この基準面から可動切断部３Ｂの係合部２の内面に形成した雌ネジのネジ溝の一つ目の谷底までの距離を示しており、本実施例では、この基準面から一つ目の谷底までの距離が、可動切断部３Ｂの係合部２の内面に形成した雌ネジのピッチＰに対して、０．５Ｐ〜１．０Ｐとなるように構成しており、具遺体的には、雌ネジのピッチＰ＝２．１１６７ｍｍに対して、基準面から可動切断部３Ｂの係合部２の内面に形成した雌ネジのネジ溝の一つ目の谷底までの距離ｅ＝１．８２５ｍｍに設定している。
【００４３】
また、図中ｆは、ネジ山剪断面８を形成し始める位置を示すものであり、具体的には、ネジ山剪断面８と可動側すれ違い面４Ｂとの境界部を通る仮想水平面から可動切断部３Ｂの係合部２の内面に形成した雌ネジの軸線を通る仮想水平面までの距離を示しており、本実施例では、この距離が０．５ｄ（ｄ：可動切断部３Ｂの係合部２の内面に形成した雌ネジの内径）〜０．５Ｄ（Ｄ：可動切断部３Ｂの係合部２の内面に形成した雌ネジの外径）となるようにネジ山剪断面８を形成した構成としており、より具体的には、雌ネジの内径ｄ＝１０ｍｍ、雌ネジの外径Ｄ＝１２．６ｍｍに対して、５．７５ｍｍに設定している。
【００４４】
即ち、本実施例の可動切断部３Ｂは、可動側剪断面５Ｂとネジ山剪断面８とを上記に示した条件内で設定することで、この可動切断部３Ｂの切断刃となる可動側剪断面５Ｂのすれ違い端縁６が、切断するネジ棒１のネジ溝にほぼ沿った状態でこのネジ棒１を切断し、ネジ山剪断面８が切断するネジ棒１のネジ山と交差する切断面の長さをできるだけ短い距離で切断するように構成している。
【００４５】
即ち、本実施例は、ネジ棒切断処理部11に配設した一対の切断部３Ａ，３Ｂ、具体的には、固設切断部３Ａの切断刃に相当する固設側すれ違い面４Ａのすれ違い端縁６と、可動切断部３Ｂの切断刃に相当する可動側すれ違い面４Ｂのすれ違い端縁６との双方が、切断するネジ棒１のネジ溝のリード角に沿って係合して、ネジ棒１のネジ溝からネジ溝のリード角に沿って切り進み、この切断刃に相当する夫々の切断部３Ａ，３Ｂの夫々の剪断面５Ａ，５Ｂのすれ違い側端縁６が、このネジ棒１のネジ山のネジ山頂部近傍を殆ど通過せず、ネジ山の麓部近傍、即ち、ネジ溝の略谷底を通過して切断するように構成している。
【００４６】
また、ネジ棒１を切断する際は、必ず、ネジ棒１のネジ山頂部を交差して切断することとなるが、本実施例は、上述のように構成したネジ山剪断面８の端縁９によって、このネジ山頂部を切断する際、ネジ山の肉厚を薄くする方向、即ち、ネジ山をリード角に沿った方向で切断するのではなく、ネジ山と交差し、更に、このネジ山を交差する距離が略最短距離となる方向で当接して切断するように構成している。
【００４７】
即ち、本実施例のネジ山剪断面８の端縁９は、ネジ棒１の切断箇所のネジ山、具体的には、切断箇所のネジ溝一リード長分のネジ溝端部同士に挟まれるネジ山に当接し、固設切断部３Ａと係合する側のネジ棒１と逆方向に押圧力が加わることで、このネジ山剪断面８の端縁９と当接したネジ山の当接箇所を基端にして、このネジ山を最短距離で破断するように構成している。
【００４８】
尚、上述した固設切断部３Ａのように構成した切断部３をすれ違い移動自在に構成し、可動切断部３Ｂのように構成した切断部３を固設する構成としても良い。
【００４９】
本実施例は、ネジ棒１を切断する一対の切断部３Ａ，３Ｂを上述のように構成したので、以下のような作用効果を発揮する。
【００５０】
本実施例は、一対の切断部３Ａ，３Ｂの夫々の係合部２の内面に、切断するネジ棒１の雄ネジと係合する雌メジを形成したから、ネジ棒１を切断するために、このネジ棒１を固設した固設切断部３Ａに支持させると、このネジ棒１の雄ネジと固設切断部３Ａの係合部２の内面に形成した雌ネジとが係合する、即ち、ネジ棒１の雄ネジのネジ山が係合部２の雌ネジのネジ溝と係合し、また、ネジ棒１の雄ネジのネジ溝が係合部２の雌ネジのネジ山と係合するので、すれ違い移動する可動切断部３Ｂによってネジ棒１が押圧され、係合面に押圧力が加わってもこの支持したネジ棒１のネジ山が潰れることがなく、しかも、凹凸係合により、このネジ棒１の軸線方向に対しての移動が阻止されるので、切断時にズレが生じず、切断面を綺麗に仕上げることができ、これにより、かえりバリの発生を抑制すると共にネジ山も潰れないので、切断後、直ぐにナットを容易に通すことができる。
【００５１】
また、本実施例、一対の切断部３Ａ，３Ｂの夫々の剪断面５Ａ，５Ｂを、夫々の切断部３Ａ，３Ｂの係合部２の内面に形成した雌ネジのリード角に沿った傾斜状態に設け、このリード角に沿った傾斜状態に設けた夫々の剪断面５Ａ，５Ｂのすれ違い端縁６が夫々の切断部３Ａ，３Ｂの係合部２の内面に形成した雌ネジのネジ山に位置するように構成したから、切断刃に相当する夫々の切断部３Ａ，３Ｂの剪断面５Ａ，５Ｂのすれ違い側端縁６が、切断するネジ棒１のネジ溝に、係合部２の内面に形成した雌ネジのネジ山と同様にネジ溝のリード角に沿って係合して、ネジ棒１を切断する際、夫々の切断部３Ａ，３Ｂは、ネジ棒１のネジ溝からネジ溝のリード角に沿って切り進むこととなるので、切断刃に相当する夫々の剪断面５Ａ，５Ｂのすれ違い側端縁６は、このネジ棒１のネジ山のネジ山頂部近傍を殆ど通過せず、ネジ山の麓部近傍、即ち、ネジ溝の谷底部近傍を通過するように切断してゆくこととなる。
【００５２】
従って、切断するネジ棒１のネジ山のネジ山頂部近傍は殆ど切断されることがなくなるので、切断するネジ棒１のネジ山頂部近傍は切断面とならず、ネジ棒１の切断面は、図１０に示すように、外周縁が略ネジ溝の谷底に沿った形状、具体的には、略円状の切断面の外周縁全周（３６０°）に対して、約３３０°の範囲がネジ溝の谷底に沿った形状となる。
【００５３】
また、残りの約３０°の範囲においても、ネジ山頂部を最短で交差する方向に切断するので、ネジ山頂部の肉厚が薄くなる方向への切断とならないので、このネジ山頂部切断面においても、かえりバリは発生しないこととなる。
【００５４】
このように、本実施例は、ネジ棒１を切断した際、切断したネジ棒１のネジ山にかえりバリが発生しないので、バリ取りをしなくても、切断後直ぐにネジ棒１にナット（雌ネジ）を螺合することができることとなり、厄介なバリ取り作業をしなくても良い作業性に優れた画期的なネジ棒切断装置となる。
【００５５】
尚、本発明は、本実施例に限られるものではなく、各構成要件の具体的構成は適宜設計し得るものである。
【符号の説明】
【００５６】
１  ネジ棒
２  係合部
３  切断部
４  すれ違い面
５  剪断面
６  すれ違い端縁
７  凹設部
８  ネジ山剪断面
９  端縁
【図１】
0005891033.tif 000002
【図２】
0005891033.tif 000003
【図３】
0005891033.tif 000004
【図４】
0005891033.tif 000005
【図５】
0005891033.tif 000006
【図６】
0005891033.tif 000007
【図７】
0005891033.tif 000008
【図８】
0005891033.tif 000009
【図９】
0005891033.tif 000010
【図１０】
0005891033.tif 000011
【図１１】
0005891033.tif 000012